(57)【要約】【課題】据置き用のスタンドを除く本体部の中にスピーカを備えつつ本体部を小型化することが可能な薄型表示装置を提供する。【解決手段】前面に表示面１１を備えて高さに比べて奥行きが短い厚板状の本体部１０と、上面が本体部１０の底面と当接した状態で本体部１０の下端に固定されて本体部１０を支持するスタンド２０と、を備えた液晶テレビジョン１００において、筐体Ｃと、放音面１２ａが表示面１１に対して略垂直であり、筐体Ｃ底面の内面に放音面１２ａを略当接したスピーカ１２と、スタンド２０の前面に設けられた開口２５と、スタンド２０の内部に設けた中空Ｓでスピーカ１２の放出する音を前記開口に導く。【選択図】図３
2009267577.tif 000002
【特許請求の範囲】
【請求項１】
前面に表示面を備えて高さに比べて奥行きが短い厚板状の本体部と、上面が前記本体部の底面と当接した状態で前記本体部の下端に固定されて前記本体部を支持する支持脚と、を備えた薄型表示装置において、
前記本体部の外壁を構成する筐体と、
放音面が前記表示面と略垂直であり、前記筐体において前記支持脚が当接した部位の内面に前記放音面を略当接したスピーカと、
前記支持脚の前面に設けられた開口と、
前記支持脚に設けられ、前記スピーカの放出する音を前記開口に導く導音構造と、
を具備することを特徴とする薄型表示装置。
【請求項２】
前記筐体において前記支持脚が当接した部位は、前記筐体の底面である請求項１に記載の薄型表示装置。
【請求項３】
前記支持脚は中空であり、
前記スピーカの放音面から前記中空へ貫通する孔が、前記筐体と前記支持脚に形成され、
前記中空が、前記孔から前記開口へ前記音を導く前記導音構造を構成する請求項１または請求項２に記載の薄型表示装置。
【請求項４】
前記支持脚は、底面が閉塞されている請求項１〜請求項３の何れか１項に記載の薄型表示装置。
【請求項５】
前記支持脚は前記本体部から取外し可能である請求項１〜請求項４の何れか１項に記載の薄型表示装置。
【請求項６】
前記支持脚は、前記スピーカから放出された音を、前記開口に向けて反射する反射板を備える請求項１〜請求項５の何れか一項に記載の薄型表示装置。
【請求項７】
前記薄型表示装置は、
前記支持脚の底面を閉塞する閉塞板と、
前記支持脚において、前記スピーカから放出された音を、前記開口に向けて反射する反射板と、
を更に備え、
前記スピーカが、該放音面を前記筐体の内底面に略当接し、
前記支持脚が、内部に中空を有し、
前記中空が、前記スピーカの放出する音を前記開口に導く導音構造を構成し、
前記筐体と前記支持脚に、前記スピーカの放音面から前記中空へ貫通する孔が形成され
、
前記支持脚が取外し可能である請求項１に記載の薄型表示装置。
【発明の詳細な説明】
【技術分野】
【０００１】
本発明は、薄型表示装置に関し、特に、前面に表示面を備えて高さに比べて奥行きが短い厚板状の本体部と、上面が前記本体部の底面と当接した状態で前記本体部下端に固定されて前記本体部を支持する支持脚と、を備えた薄型表示装置に関する。
【背景技術】
【０００２】
従来、この種の薄型表示装置のスピーカは、図１０のように配置されることが多い。同図において、液晶テレビジョン１は筐体で覆われており、筐体前面の略矩形の開口から液晶パネルの表示面を露出させている。筐体前面には、表示面の下にスピーカ孔が形成されており、このスピーカ孔の内部にスピーカが取付けられている。なお、スピーカ孔は表示面の下のみならず、左右に配置される場合もある。
【０００３】
特許文献１には、中音域から高音域を出力するスピーカを備えた上に、低音域用スピーカを脚部の中に配置し、テレビジョンを載置する置台の上面に孔を形成し、該置台の正面に開口部を設けた装置について開示されている。脚部内のスピーカにて再生された音は、前記孔から置台内部を通って前記開口部から放出される。
特許文献２には、テレビジョン受像機の底部と嵌合する枠体と、テレビジョン受像機を据置きするための台座と、を備えたテレビジョンスタンド装置について記載されている。該台座はスピーカを内蔵したスピーカ放声孔を備え、据置き時には、テレビジョン受像機の外部スピーカ用接続端子を台座と接続して台座から音声出力する。
特許文献３には、液晶表示パネルの画像表示部を指示するスタンドの台座部の前面に複数個のスピーカユニットが設けられた表示装置が開示されている。
【特許文献１】実開平２−１０１６７５号公報
【特許文献２】特開昭６２−１４２４７８号公報
【特許文献３】特開２００３−２０４５８７号公報
【発明の開示】
【発明が解決しようとする課題】
【０００４】
前述した従来の液晶テレビジョンでは、一般に、筐体前面の内部にスピーカを配置する。従って、表示面の下や左右の枠部の幅を、少なくともスピーカの幅以上にしなければならず、小型化の妨げとなる。特許文献１〜３の技術では、据置きするためのスタンドにスピーカを備えるものであり、本体部の内部にスピーカを備えつつ本体部の小型化を実現するものではない。
【０００５】
本発明は、上記課題に鑑みてなされたもので、据置き用のスタンドを除いた本体部の内部に、スピーカを備えつつ、本体部を小型化可能な薄型表示装置の提供を目的とする。
【課題を解決するための手段】
【０００６】
上記課題を解決するために、本発明では、前面に表示面を備えて高さに比べて奥行きが短い厚板状の本体部と、上面が前記本体部の底面と当接した状態で前記本体部の下端に固定されて前記本体部を支持する支持脚と、を備えた薄型表示装置において、筐体とスピーカと開口と導音構造とを備える構成としてある。
【０００７】
前記筐体は、前記本体部の外壁を構成する。前記スピーカは、放音面が前記表示面に対して略垂直であり、前記筐体において前記支持脚が当接した部位の内面に前記放音面を略当接している。放音面とは、音声を放出する面である。例えばダイナミック型スピーカであれば、ボイスコイルや磁石が配置される側ではなく、コーン紙（振動板）が配置される側の面が放音面である。前記支持脚は本体部の下端に固定されるため、前記本体部の底面・前面下部・背面下部、左右側面下部の何れかに当接することになる。これら当接する可能性のある面のうち、前記表示面に対して前記放音面が略垂直になるのは、底面と左右側面下部の何れかである。よって、前記支持脚が当接した部位とは、前記支持脚の底面もしくは左右側面下部である。
スピーカは、振動板の広さが音の振動数を決定するため、一般に振動板に平行な方向に広く、振動板に垂直な方向に薄い形状になっている。また、薄型表示装置の表示パネル（液晶パネルやプラズマディスプレイパネル等）では、表示面に平行な方向に広く、表示面に垂直な方向に薄い形状になっている。そこで、前記放音面を、表示面に対して略垂直に配置すると、筐体前面の面積を小型化できる。
【０００８】
そして、前記開口を、前記支持脚の前面に設け、該開口へスピーカの放出する音を導く導音構造を前記支持脚の中に設ける。つまり、スピーカから発せられた音は、前記導音構造を通って前記支持脚の開口に導かれ、該開口から放出される。よって筐体前面の面積を小型化しつつ、音質低下を防止できる。
【０００９】
本発明の選択的な一側面として、前記筐体において前記支持脚が当接した部位は、前記筐体の底面である構成としても良い。すなわち、前記支持脚が当接する可能性のある部位のうち、確実に当接する前記底面の内面にスピーカを配置するのである。
【００１０】
本発明の選択的な一側面として、前記支持脚は中空であり、前記スピーカの放音面から前記中空へ貫通する孔が、前記筐体と前記支持脚に形成され、前記中空が、前記孔から前記開口へ前記音を導く構成としてもよい。該構成によれば、導音構造が簡易に実現可能となる。
【００１１】
本発明の選択的な一側面として、前記支持脚は、底面が閉塞されていてもよい。底面が閉塞されていると、薄型表示装置を据置き場所に関わらず、導音構造を通って開口から放出される音質を一定に保つことが出来る。例えば、据置き場所によっては、載置面が絨毯であったり、格子状であったりする可能性がある。絨毯は音を吸収してしまうし、格子のように隙間の多い構造では音が下に抜けてしまう。下面を閉塞すれば、このような据置き場所の影響を排除できる。
【００１２】
本発明の選択的な一側面として、前記支持脚は前記本体部から取外し可能であってもよい。前記支持脚を前記本体部から取外すと、壁掛けとして薄型表示装置を利用可能になる。壁掛けとして使用する場合は、一般に、底面側に障害物の少ない状態で、比較的高い位置に設置される。スピーカから放出される音は、底面側への指向性を持って放出されるが、広めの空間があれば、回折してユーザの耳に届き、違和感なく視聴できる。
【００１３】
本発明の選択的な一側面として、前記支持脚は、前記スピーカから放出された音を、前記開口に向けて反射する反射板を備える構成としてもよい。該反射板は前記導音構造の一部を構成する。該構成によれば、スピーカ出力された音のうち、開口から放出される音の割合を高めて、導音構造の導音効率を向上できる。
【発明の効果】
【００１４】
以上説明したように本発明によれば、筐体前面の面積を小型化しつつ、音質低下を防止可能な薄型表示装置を提供することができる。
また請求項２にかかる発明によれば、従来の薄型表示装置において最もよく配置されていた表示面下から音を出力できるようになる。
そして請求項３にかかる発明によれば、導音構造が簡易に実現可能となる。
さらに請求項４にかかる発明によれば、据置き場所の音質に対する影響を排除できる。
また請求項５にかかる発明によれば、壁掛けと据置きで切換可能となる。
そして請求項６にかかる発明によれば、導音構造の導音効率を向上できる。
さらに請求項７のような、より具体的な構成において、上述した請求項１〜請求項６の各発明と同様の作用を奏することはいうまでもない。
【発明を実施するための最良の形態】
【００１５】
以下、下記の順序に従って本発明の実施形態を説明する。
（１）薄型表示装置の構成：
（２）導音構造：
（３）導音構造の変形例：
（４）まとめ：
【００１６】
（１）薄型表示装置の構成： 
図１，２は本発明の薄型表示装置を具体的に実現する液晶テレビジョンの外観を示している。図１は液晶テレビジョンの正面図、図２は液晶テレビジョンの右側面図である。液晶テレビジョン１００は、上下左右に広く奥行き（前後長さ）が短い厚板状の本体部１０と、奥行き（前後長さ）が長く幅（左右長さ）が狭いスタンド２０Ｌ，２０Ｒ（支持脚）とを備える。本体部１０は、単独では安定した自立が難しい。スタンド２０Ｌ，２０Ｒは、本体部１０の下端に取付けられて、本体部１０の表示面を、例えば略垂直に配向させた状態に支持し、本体部１０が前後に転倒しないように支持する。無論、表示面の配向角度は一例であり、任意の角度に配向させて支持すればよい。
【００１７】
本体部１０は、樹脂製の略矩形の筐体Ｃ（外壁）で覆われている。該筐体Ｃの前面に設けられた矩形の開口から液晶パネルの表示面が露出し、本体部１０の表示面１１を構成している。開口を除いた筐体Ｃ前面は、枠状に表示面を囲う枠部を構成する。下枠には、操作入力パネル１４が設けられている。操作入力パネル１４には、電源ボタン、チャンネルボタン、音量ボタン、メニュー表示ボタン等が設けられる。無論、操作入力パネル１４は上枠や左右枠、筐体の左右側面や上面に設けられてもよい。
【００１８】
筐体Ｃ内部には、液晶パネル以外にも、液晶テレビジョン１００を実現するための各種電気的構成が内蔵されている。より具体的には、チューナ回路、映像処理回路、音声処理回路、液晶パネル、駆動回路、バックライト、インバータ回路、電源回路、リモコン信号受信回路、操作入力回路、等を備える。これらの回路は、集積回路にチップ化されていても構わない。
【００１９】
チューナ回路は、テレビ放送信号を入力されて該テレビ放送信号から所定の周波数帯の放送信号を抽出する。映像処理回路は、抽出された放送信号から映像信号を抽出してスケーリング処理・画質調整処理・ＯＳＤ（on-screen-display）信号の重畳処理等を行う。音声処理回路は、抽出された放送信号から音声信号を抽出して該音声信号に音響効果を加えたり増幅を行ったりする。液晶パネルは、画面に映像を表示する。駆動回路は、映像処理回路の生成した映像信号に基づいて液晶パネルを駆動する。バックライトは、液晶パネルの背面から光を照射する。インバータ回路は、所定の交流電圧を生成して該生成した交流電圧でバックライトを点灯させる。電源回路は、商用電源を入力されており、該商用電源から各種電源電圧を生成して液晶テレビジョンの各種電気的構成に供給する。リモコン信号受信回路は、リモコン信号（赤外線信号や無線信号等）を受信して該リモコン信号に対応する制御コマンドを出力する。操作入力回路は、操作ボタン（電源投入ボタン、チャンネル切換ボタン、音量調節ボタン等）を備えており、操作されたボタンに対応する制御コマンドを出力する。
【００２０】
図３、４は筐体Ｃ内部の部材配置の一例である。図３は、図１のＡ−Ａ断面の概略断面図、図４は、図２のＢ−Ｂ断面の概略断面図である。筐体Ｃ内部には、概略、液晶モジュール１５と、メイン基板１６と、サブ基板１７と、スピーカ１２と、が配置されている。液晶モジュール１５は、液晶パネルとバックライトと駆動回路とがモジュール化されたものである。液晶モジュール１５は、背面が樹脂板や金属板で覆われており、この背面にメイン基板が固定される。メイン基板には、チューナ回路と映像処理回路と音声処理回路と電源回路とインバータ回路とが搭載される。但し、メイン基板は１枚の基板である必要は無く、複数の基板をケーブルで接続したものでもよい。例えば、特定の回路（例えばインバータ回路）を物理的に別の基板としたり、特定の回路を分割したり（例えば映像処理回路のアナログ処理部分を単層基板に搭載し、デジタル処理部分を多層基板に搭載する、等）してもよい。
【００２１】
サブ基板１７は、筐体Ｃ前面の枠部や上側面や左右側面に固定される。特に、リモコン信号の伝送に、赤外線信号等の指向性の強い伝送媒体を用いる場合は、サブ基板１７は、筐体Ｃ前面の枠部に固定される。なお、サブ基板１７も、メイン基板１６と同様に複数の基板に分割されても構わない。
【００２２】
スピーカ１２は、概略、磁石と可動コイルと振動板（コーン）とフレームとを備える。スピーカ１２は、筐体の内底面に、振動板の側を筐体の内底面に向けた状態で固定される。（以下、スピーカ１２の振動板の側を放音面１２ａと呼ぶことにする。）液晶テレビジョンのスピーカは、人間の可聴域をカバーした音声出力を行う必要がある。例えば、単一のスピーカで中音域を中心に低音域と高音域の特性を確保するフルレンジスピーカであれば、一定サイズ以上の径の振動板が必要である。振動板の径がスピーカ１２の幅を決定するため、液晶テレビジョン１００に搭載されるスピーカ１２は、一般に、幅広である。
【００２３】
放音面１２ａからは、筐体の内底面へ指向した音声が放出される。放音面１２ａと対面する筐体の内底面には、スピーカ孔１３が設けられる。スピーカ孔１３は、スピーカ１２が再生する音を、筐体外部に放出する孔である。なお、スピーカ１２は、動電形であってもよいし静電型であってもよい。スピーカ１２の形状もコーン型、ドーム型、ホーン型、平面・平板型等各種形態を採用可能である。さらに、コーン紙など特定の振動板ではなく、圧電振動子等で直接に振動体(例えば、筐体等）を共鳴させる方式であってもよい。
【００２４】
スタンド２０Ｒ，２０Ｌの奥行きは、本体部１０よりも長く、例えば図２に示す例では、本体部１０のほぼ倍の奥行きを有する。スタンド２０Ｒ，２０Ｌは、前後方向の安定性のために、高さ（上下長さ）が奥行き（前後長さ）よりも短い。スタンド２０Ｒ，２０Ｌの底は平らであり、水平な場所に安定して据置き可能になっている。なお図１において、スタンド２０Ｒ，２０Ｌは幅狭であり、本体部１０の右下端と左下端とに所定間隔を開けて配置する。無論、各スタンドの左右幅とスタンドの数は任意であり、例えば３つのスタンドを左右と中央にそれぞれ配置してもよいし、左右に幅広の１つのスタンドを本体部１０の下端略中央に配置してもよい。以下の説明において、左右スタンドに共通する構成を説明する場合は、Ｒ，Ｌを省いて説明することにする。
【００２５】
（２）導音構造： 
以下、図３〜５を参照して、本発明のスタンド及び本体に形成される導音構造について詳細に説明する。図５は、本体部１０のスピーカ１２付近を破断して示した部分斜視図である。図３〜５において、スタンド２０は、溝２１と、スピーカ孔２３と、開口（放音口）２４と、を備え、内部が中空Ｓになっている。
【００２６】
溝２１は、スタンド２０の上面に左右方向に延びており、この溝２１に本体部１０の下端を挿入する。スタンドと本体部とは、突起と凹み等の凹凸係合構造や、ネジ止め等で互いに固定される。溝２１の幅（前後長さ）は、本体部１０の奥行きと略一致する長さである。無論、溝２１の幅と本体部１０の奥行きとを調整し、溝２１が本体部１０の下端をきつく挟み込むようにすれば、係合構造やネジ止めが無くても本体部１０とスタンド２０とを固定可能である。
【００２７】
溝２１は、前側壁２１ａ、後側壁２１ｃ、底壁２１ｂで構成されており、底壁２１ｂにはスピーカ孔２３が設けられる。スピーカ孔２３は、内部の中空Ｓと連通している。底壁２１ｂは、筐体Ｃの底面と当接しており、該当接する部位にスピーカ孔２３が設けてある。スピーカ孔２３は、スタンド２０と本体部１０とが固定された状態で、スピーカ孔１３に対応する位置に形成される。開口２４は、スタンド２０の前側面に形成され、中空Ｓと連通している。すなわち、スピーカ孔１３とスピーカ孔２３は、スピーカの放音面１２ａと中空Ｓとを貫通し、中空Ｓは、スピーカ１２から放出された音を開口２４とをまで導く導音構造を構成する。
【００２８】
以上の構成により、スピーカ１２から放出された音声が、開口２４から放出される。なお、中空Ｓを通過する音声は、スタンド２０の外殻に振動を吸収されて外殻を振動させる可能性があるが、スタンド２０の上には重量のある本体部１０が載置されているので、ビビリ音等の発生は抑制される。
【００２９】
ところで、スピーカの配置は、筐体Ｃ内の底面に限るものではなく、筐体Ｃ内の側面であってもよい。図６はスピーカ配置の変形例である。本変形例においては、同図に示すように、スタンド１２０に張出部１２５を設ける。この張出部１２５は筐体Ｃの左右側壁の一方（右スタンドであれば右側壁の下端、左スタンドであれば左側壁の下端）を覆うように延びる。張出部１２５の内部も中空になっており、中空Ｓの一部を構成する。張出部１２５と筐体Ｃとが当接する部位においては、張出部１２５にスピーカ孔１２３が形成され、筐体Ｃの側にスピーカ孔１１３が形成される。すなわち、スピーカ孔１２３とスピーカ孔１１３から開口２４の間を中空Ｓが連通させており、中空Ｓが導音構造を構成する。
【００３０】
（３）導音構造の変形例： 
導音構造において、より効率よく音を導くために、以下の各種変形例が考えられる。
液晶テレビジョン１００の設置場所は、フローリング、絨毯、畳、キャビネット上、等、様々な状況があり得る。スタンド２０が、音の吸収効率の高い絨毯等の上設置されると、スピーカ１２から出力される音声の導音効率が低下する。そこで、図７のように、スタンド２０の底に閉塞板２６を設ける。図７は、閉塞板２６を図１のＡ−Ａ断面のスタンド付近を示した部分断面図である。閉塞板２６には、音の反射効率の高い材質や、スピーカ出力の周波数帯での共鳴性の高い材質が適する。スタンド２０の底を閉塞すると、導音構造における音の伝達効率が、液晶テレビジョン１００の設置場所に依存しなくなり、安定した音再生が可能となる。
【００３１】
また、本発明においては、スピーカ１２の音放出する方向が下方もしくは左右側方である。このようにユーザ視聴方向とは異なる方向へ放出された音を、導音構造がユーザの側へ導いている。すなわち、導音構造においては、音の放出方向の変換が行われており、この変換効率を向上すると導音効率が向上する。そこで、図８のように、中空Ｓに反射板２７を設けて、スピーカ孔１３，２３から入射された音を開口２４に向けて反射したり、図９のように、スピーカ孔１３，２３と開口２４の間を滑らかなチューブ等で連通させたりする。図８，９は図１のＡ−Ａ断面のスタンド付近を示した部分断面図である。図８の場合は、中空Ｓと反射板２７とが導音構造を構成し、図９の場合は、チューブが導音構造を構成する。該変形例によれば、スタンド２０内での減衰を防止し、スピーカ１２から放出された音のうち開口２４から放出される割合を高めることができる。
【００３２】
（４）まとめ： 
以上説明したように、前記実施形態によれば、前面に表示面１１を備えて高さに比べて奥行きが短い厚板状の本体部１０と、上面が本体部１０の底面と当接した状態で本体部１０の下端に固定されて本体部１０を支持するスタンド２０と、を備えた液晶テレビジョン１００において、筐体Ｃと、放音面１２ａが表示面１１に対して略垂直であり、筐体Ｃ底面の内面に放音面１２ａを略当接したスピーカ１２と、スタンド２０の前面に設けられた開口２５と、スタンド２０の内部に設けた中空Ｓでスピーカ１２の放出する音を前記開口に導く。よって、据置き用のスタンドを除く本体部の中にスピーカを備えつつ本体部を小型化することが可能な薄型表示装置を提供可能となる。
【００３３】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３４】
【図１】液晶テレビジョンの正面図である。
【図２】液晶テレビジョンの右側面図である。
【図３】図１のＡ−Ａ断面の概略断面図である。
【図４】図２のＢ−Ｂ断面の概略断面図である。
【図５】スピーカ１２付近を破断して示した部分斜視図である。
【図６】スピーカ配置の変形例を示す図である。
【図７】図１のＡ−Ａ断面のスタンド付近を示した部分断面図である。
【図８】図１のＡ−Ａ断面のスタンド付近を示した部分断面図である。
【図９】図１のＡ−Ａ断面のスタンド付近を示した部分断面図である。
【図１０】従来の薄型表示装置におけるスピーカ配置を示す断面図である。
【符号の説明】
【００３５】
１０…本体部、１１…表示面、１２…スピーカ、１２ａ…放音面、１３…スピーカ孔、１４…操作入力パネル、１５…液晶モジュール、１６…メイン基板、１７…サブ基板、２０…スタンド、２０Ｌ…スタンド、２０Ｒ…スタンド、２１…溝、２１ａ…前側壁、２１ｂ…底壁、２１ｃ…後側壁、２３…スピーカ孔、２４…開口、２６…閉塞板、２７…反射板、１００…液晶テレビジョン、１１３…スピーカ孔、１２０…スタンド、１２３…スピーカ孔、１２５…張出部 
【図１】
2009267577.tif 000003
【図２】
2009267577.tif 000004
【図３】
2009267577.tif 000005
【図４】
2009267577.tif 000006
【図５】
2009267577.tif 000007
【図６】
2009267577.tif 000008
【図７】
2009267577.tif 000009
【図８】
2009267577.tif 000010
【図９】
2009267577.tif 000011
【図１０】
2009267577.tif 000012